(57)【要約】【課題】  不測の振動を抑制できる信頼性が高い防振装置を有する洗濯機を提供する。【解決手段】  底部に回転翼を有する内槽と、該内槽を内包する外槽と、該外槽を収納する外枠と、防振装置によって前記外槽を前記外枠に懸架支持する洗濯機において、前記防振装置は、一端を前記外枠に支持され、他端にばね座を介して圧縮ばねを支持する吊り棒と、該吊り棒と摺動する摺動部材と、前記吊り棒と前記摺動部材との間に介在された潤滑剤と、前記吊り棒を貫通し、前記摺動部材の上方に備えられた滑動体と、を備え、前記滑動体は、前記吊り棒との間に設けられた隙間と、前記吊り棒を支持する支持部とを備える。【選択図】  図５
2018201631.tif 000002
【特許請求の範囲】
【請求項１】
底部に回転翼を有する内槽と、該内槽を内包する外槽と、該外槽を収納する外枠と、防振装置によって前記外槽を前記外枠に懸架支持する洗濯機において、
前記防振装置は、一端を前記外枠に支持され、他端にばね座を介して圧縮ばねを支持する吊り棒と、該吊り棒と摺動する摺動部材と、前記吊り棒と前記摺動部材との間に介在された潤滑剤と、前記吊り棒を貫通し、前記摺動部材の上方に備えられた滑動体と、を備え、
前記滑動体は、前記吊り棒との間に設けられた隙間と、前記吊り棒を支持する支持部とを備えること特徴とする洗濯機。
【請求項２】
請求項１に記載の洗濯機であって、
前記滑動体の上部の開口は、前記吊り棒との間に設けられた隙間と、前記吊り棒を支持する支持部とを備えること特徴とする洗濯機。
【請求項３】
請求項２に記載の洗濯機であって、
前記支持部１５ｂは前記滑動体の軸方向における、上端部を含む一部に設けられていること特徴とする洗濯機。
【請求項４】
請求項２に記載の洗濯機であって、
前記開口の周方向に、複数の前記隙間と、複数の前記支持部が設けられていること特徴とする洗濯機。
【発明の詳細な説明】
【技術分野】
【０００１】
本発明は、洗濯機に関するものであり、特に外槽の振動を抑制する防振装置に関するものである。
【背景技術】
【０００２】
一般的な洗濯機は、底部に回転翼を有する内槽と、この内槽を内包する外槽と、この外槽を収納する外枠と、外槽を外枠に懸架支持する防振装置と、回転翼を取り付けた洗濯軸と、この洗濯軸を駆動するモータとを備えた構成となっている。このような構成の洗濯機において、洗いおよびすすぎ工程後に内槽内の衣類が片寄った状態で、遠心脱水工程のために内槽を高速で回転する場合、回転速度を上昇させる過程において、外槽の共振により外槽に振動が発生し、洗濯機に大きな振動や騒音が発生する。そこで、防振装置により外槽の振動を低減するとともに、外槽に生じる振動が外枠に伝わることを低減するように保持されている。このような防振装置として、例えば、特開２０１６−１５４７０５号公報（特許文献１）に開示されたものがある。
【０００３】
特許文献１には、「本発明は、底部に回転翼を有する内槽と、該内槽を内包する外槽と、該外槽を収納する外枠と、防振装置によって前記外槽を前記外枠に懸架支持する洗濯機において、前記防振装置は一端を前記外枠に支持され、他端にばね座を介して圧縮ばねを支持する吊り棒と、該吊り棒と摺動する摺動部材と、前記吊り棒と前記摺動部材との間に介在された潤滑剤とを備え、前記摺動部材の貫通孔の少なくとも上面または下面が多角形であるように構成した。」と記載されている。
【先行技術文献】
【特許文献】
【０００４】
【特許文献１】特開２０１６−１５４７０５号公報
【発明の概要】
【発明が解決しようとする課題】
【０００５】
特許文献１において、動体１５や筒体１６も吊り棒１４の軸方向（上下方向）に振動するため、滑動体１５と吊り棒１４の間にも潤滑材が入り込む可能性がある。これにより、滑動体１５と吊り棒１４が相対的に往復動することにより、減衰力が発生するが、この場合、不測の減衰力が発生してしまい、異常振動が発生するおそれがある。
【０００６】
そこで、本発明の目的は、不測の振動を抑制できる信頼性が高い防振装置を有する洗濯機を提供することにある。
【課題を解決するための手段】
【０００７】
上記目的を達成するために、本発明は、一例として、底部に回転翼を有する内槽と、該内槽を内包する外槽と、該外槽を収納する外枠と、防振装置によって前記外槽を前記外枠に懸架支持する洗濯機において、前記防振装置は、一端を前記外枠に支持され、他端にばね座を介して圧縮ばねを支持する吊り棒と、該吊り棒と摺動する摺動部材と、前記吊り棒と前記摺動部材との間に介在された潤滑剤と、前記吊り棒を貫通し、前記摺動部材の上方に備えられた滑動体と、を備え、前記滑動体は、前記吊り棒との間に設けられた隙間と、前記吊り棒を支持する支持部とを備える。
【発明の効果】
【０００８】
本発明によれば、不測の振動を抑制できる信頼性が高い防振装置を有する洗濯機を提供できる。
【図面の簡単な説明】
【０００９】
【図１】実施例に係る洗濯機の概略縦断面図である。
【図２】実施例に係る防振装置の概略縦断面図である。
【図３】実施例に係る防振装置の滑動体１５の上面図である。
【図４】実施例に係る防振装置の図３のＡ−Ａ線についての概略断面図である。
【図５】実施例に係る防振装置の図４の斜視図である。
【発明を実施するための形態】
【００１０】
以下、本発明の実施形態について、適宜図を参考にして詳細に説明する。
【実施例１】
【００１１】
図１は、本発明の実施形態１に係る洗濯機の概略を説明する縦断面図である。この図では、洗濯機の基本構成要素のみについて記載し、その他の要素、例えばパネルスイッチ等は省略し図示していない。その主要構成は、外枠１とこの外枠１に防振装置２を介して弾性支持されている合成樹脂製の外槽３、この外槽３に内装され回転翼４を内装し衣類などの洗濯物の不つりあいをキャンセルするための流体バランサ１０を装着するＳＵＳ製の内槽５、この内槽５を脱水軸１２に固定するためのアルミ製のフランジ６、このフランジ６を支え脱水軸１２と内外二重構造を構成する洗濯軸１１を駆動するときに歯車にて減速する減速機構７、この減速機構７と同一軸上に設けられたモータ８、このモータ８及び減速機構７を支持し外槽３に保持されている取付板９である。上記構成において、モータ８は洗いやすすぎ工程時に減速機構７を介し洗濯軸１１を経て回転翼４のみを回転させ、脱水工程時には脱水軸１２を経て内槽５および回転翼４をともに高速回転させて遠心脱水を行う。ここで、内槽５の外周部には多数の通水孔５ａが設けられているので、高速回転に伴って洗濯物に含まれていた水が絞り出される。このとき内槽５の中の洗濯物に片寄りが生じると、内槽５および外槽３は振動し、特に脱水回転開始時における共振により大きく振動する。この振動を抑えるための減衰力を付与するとともに、外槽３の振動が外枠１に伝わらないようにするため防振装置２で保持されている。
【００１２】
図２は防振装置２の下側部分の概略縦断面図である。防振装置２は、外槽３を外枠１に揺動自在に懸架支持するための球状面を有するスライダ１３、一端をスライダ１３に保持され他端にばね座１９を介して外槽３を弾性支持するための防振ばね１８を支持する吊り棒１４、この吊り棒１４を貫通し外槽３と当接する滑動体１５、この滑動体１５の下側に配設し防振ばね１８と当接する上部が開放され有底の筒体１６、この筒体１６に内包され吊り棒１４の外周面を摺動する摺動部材１７、この摺動部材１７と吊り棒１４との間に介在された潤滑剤（図示せず）で構成さている。なお、この摺動部材１７は変形可能なゴムなどの弾性体で構成されており、潤滑剤は一般的に半固体状のグリースなどを使用している。
【００１３】
外槽３が振動し、外槽３の滑動体１５と当接する部分が上下方向に振動すると、滑動体１５や筒体１６も吊り棒１４の軸方向（上下方向）に振動する。これにより、外枠１から揺動自在に支持され上下動しない吊り棒１４と滑動体１５及び筒体１６は相対的に往復動することになる。このため、筒体１６の内周面に配された摺動部材１７も吊り棒１４と相対的に往復動することになる。これにより、摺動部材１７の内接面が吊り棒１４の外周面と摺動し、クーロン摩擦力が発生し、これが減衰力として働き振動を抑制する。そして、摺動部材１７を吊り棒１４に押し付ける力が大きいと、発生する減衰力も大きくなる。また、防振装置２の防振ばね１８により、外槽３を外枠１に弾性的に懸架支持し、外槽３の振動を外枠１に伝え難い構造になっている。なお、吊り棒１４と摺動部材１７の摺動面の潤滑材が枯渇すると、特に摺動部材１７の摩耗が進行し、初期の減衰力を保てなくなるため外槽３の振動が増加し、長期にわたり安定した性能を維持できなくなる。
【００１４】
ここで、滑動体１５や筒体１６も吊り棒１４の軸方向（上下方向）に振動するため、滑動体１５と吊り棒１４の間にも潤滑材が入り込む可能性がある。これにより、滑動体１５と吊り棒１４も相対的に往復動することにより、減衰力が発生するが、この場合、不測の減衰力が発生してしまい、外槽３の振動を外枠１に伝えやすくなり、異常振動が発生するおそれがある。また、潤滑材の粘性も温度依存性があるため、この予期しない粘性の変化が異常振動発生の原因ともなりうる。
【００１５】
そこで、本実施例として、図３に示すように、滑動体１５の上部の開口に、隙間１５ａと、支持部１５ｂを設ける。隙間１５ａにより、滑動体１５と吊り棒１４の間に侵入した潤滑材が逃げるようになっている。一方、滑動体１５の上部の開口の全周について、隙間を設けてしまと、滑動体１５と吊り棒１４との衝突音が発生してしまうおそれがある。そのため、洗濯機が振動する最中も、滑動体１５と吊り棒１４が当接させて支持する部分が一部に必要となるため、支持部１５ｂを設ける。
【００１６】
隙間１５ａと、支持部１５ｂが３か所ずつの例を示しているが、本発明はこれに限られない。但し、バランスを考慮して、隙間１５ａと、支持部１５ｂは複数あるのが望ましい。
【００１７】
図４は図３のＡＡ断面図であり、図５は図４の斜視図である。支持部１５ｂは滑動体１５の軸方向における、上端部を含む一部に設けられている。これにより、滑動体１５と吊り棒１４の間の空間をより多く確保できるので、異常振動を抑制できる。
【００１８】
以上本実施例によれば、滑動体１５の上部の開口に、隙間１５ａと、支持部１５ｂを設けたので、この隙間１５ａにより、滑動体１５と吊り棒１４の間に侵入した潤滑材が逃げるようになると共に、支持部１５ｂにより、滑動体１５と吊り棒１４との衝突音の発生を抑制できる。これにより、信頼性が高い防振装置を有する洗濯機を提供することが出来る。
【００１９】
なお、本発明はいわゆるドラム式洗濯機にも適用できる。
【符号の説明】
【００２０】
１…外枠、２…防振装置、３…外槽、４…回転翼、５…内槽、５ａ…通水孔、６…フランジ、７…減速機構、８…モータ、９…取付板、１０…流体バランサ、１１…洗濯軸、１２…脱水軸、１３…スライダ、１４…吊り棒、１５…滑動体、１６…筒体、１７…摺動部材、１７ａ…貫通孔、１７ｂ…辺部、１７ｃ…角部、１８…防振ばね
【図１】
2018201631.tif 000003
【図２】
2018201631.tif 000004
【図３】
2018201631.tif 000005
【図４】
2018201631.tif 000006
【図５】
2018201631.tif 000007